(57)【要約】【課題】容器本体にカバー体を装着して飲料容器に組み立てる際の過剰なねじ締結を防止しつつ、カバー体の側周外面に生じるヒケを軽減する。【解決手段】カバー体１０は、雌ねじ溝６と、雌ねじ溝６にねじ込まれていく雄ねじ山５の先端部２９を係止するストッパ部２６と、雌ねじ溝６に連通する複数の冗長溝３０、３１とを有する。冗長溝３０は、雌ねじ溝６よりも狭い幅になっており、ストッパ部２６は、冗長溝３０を作る肉部分３２によって構成されている。ストッパ部２６により、過剰なねじ締結が防止される。雌ねじ溝６を形成するのと同じ回転コアによって、冗長溝３０、３１が形成される。雌ねじ溝６の延長上に形成された冗長溝３０、３１により、ヒケが軽減される。【選択図】図１
2015084905.tif 000002
【特許請求の範囲】
【請求項１】
雄ねじ山を有する容器本体と、前記容器本体に着脱される蓋セットとを備え、
前記蓋セットは、合成樹脂により一体に形成されたカバー体を有し、
前記カバー体は、雌ねじ溝と、前記雌ねじ溝にねじ込まれていく前記雄ねじ山を係止するストッパ部とを有する飲料容器において、
前記カバー体が前記雌ねじ溝の延長上に形成された冗長溝を有することを特徴とする飲料容器。
【請求項２】
前記冗長溝が前記雌ねじ溝よりも狭い幅で当該雌ねじ溝に連なっている請求項１に記載の飲料容器。
【請求項３】
前記冗長溝が複数形成されている請求項２に記載の飲料容器。
【請求項４】
前記冗長溝が少なくとも前記カバー体の正面側に形成されている請求項１から３のいずれか１項に記載の飲料容器。
【請求項５】
前記ストッパ部が前記カバー体の左右方向幅の中央上に位置し、前記冗長溝が前記ストッパ部上から９０°進んだ回転角度位置まで連なっている請求項４に記載の飲料容器。
【請求項６】
前記冗長溝が、前記雌ねじ溝を形成するのと同じ回転コアによって形成される請求項１から５のいずれか１項に記載の飲料容器。
【発明の詳細な説明】
【技術分野】
【０００１】
この発明は、飲料の収容に使用される飲料容器に関する。
【背景技術】
【０００２】
飲料容器は、所定容量の飲料を容器本体内に収容し、その容器本体を蓋セットで密封するようになっている。蓋セットは、容器本体に着脱自在になっている。この着脱構造としてねじ締結が利用されている。
【０００３】
一般に、前記ねじ締結用の雄ねじを有する容器本体と、その雄ねじに対応の雌ねじを有する蓋セットとが採用されている。雌ねじは、蓋セットのカバー体の内周に形成されている。したがって、ユーザは、カバー体を回して蓋セットを容器本体に着脱することができる。この着脱の際、カバー体の側周外面がユーザによって把持される。カバー体の全体は、合成樹脂により一体に形成されている（例えば、特許文献１）。
【０００４】
従来、カバー体には、雌ねじ溝に対する雄ねじ山のねじ込み終了位置を規定するためのストッパ部が形成されている。このストッパ部は、雌ねじ溝にねじ込まれていく雄ねじ山の先端部を係止する。このため、ユーザが蓋セットを容器本体に装着する際、雄ねじ山のねじ込みがストッパ部までに限られるので、過剰なねじ締結力で合成樹脂製の雌ねじ溝を傷める虞がない。
【先行技術文献】
【特許文献】
【０００５】
【特許文献１】特開２０１２−１７０５２６号公報（特に図２）
【発明の概要】
【発明が解決しようとする課題】
【０００６】
しかしながら、この種のカバー体は、側周外面の雌ねじ溝よりも上方の部分が厚肉のため、この部分の外面に大きなヒケが生じる。ヒケを目立ち難くするため、カバー体の側周外面にマッド加工や模様を施す等、デザイン上で制約を受けていた。
【０００７】
そこで、この発明が解決しようとする課題は、カバー体の側周外面に生じるヒケを軽減することにある。
【課題を解決するための手段】
【０００８】
上記の課題を解決するため、この発明は、雄ねじ山を有する容器本体と、前記容器本体に着脱される蓋セットとを備え、前記蓋セットは、合成樹脂により一体に形成されたカバー体を有し、前記カバー体は、雌ねじ溝と、前記雌ねじ溝にねじ込まれていく前記雄ねじ山を係止するストッパ部とを有する飲料容器において、
前記カバー体が前記雌ねじ溝の延長上に形成された冗長溝を有する構成を採用したものである。
【０００９】
この構成によれば、前記雌ねじ溝の延長上に形成された冗長溝が、雌ねじ溝に似たヒケ軽減効果を奏する肉盗みとなる。したがって、前記冗長溝により、カバー体の側周外面に生じるヒケを軽減することができる。
【００１０】
前記雌ねじ溝の延長上の領域内に前記冗長溝を自由な形状及び本数で形成することが可能である。
【００１１】
例えば、前記冗長溝が前記雌ねじ溝よりも狭い幅で当該雌ねじ溝に連なっているとよい。これによれば、冗長溝を作る肉部分によって前記雄ねじ山を係止することができる。したがって、前記ストッパ部を簡単に構成することができる。
【００１２】
また、前記冗長溝が複数形成されているとよい。これによれば、前記雌ねじ溝の延長上で、肉部が雌ねじ溝の幅方向に偏ることを抑え、ヒケを生じ難くすることができる。
【００１３】
また、前記冗長溝が少なくとも前記カバー体の正面側に形成されているとよい。これによれば、飲料容器としての正面からの意匠性がカバー体のヒケにより害されることを防止することができる。
【００１４】
より具体的には、前記ストッパ部が前記カバー体の左右方向幅の中央上に位置し、前記冗長溝が前記ストッパ部上から９０°進んだ回転角度位置まで連なっているとよい。これら位置関係を採用すると、ストッパ部が前記雄ねじ山を係止するカバー体の装着完了時点で、カバー体は使用に際し正規の正背方向に向くことになる。このため、ユーザが飲料容器を傾けて飲料を摂取する際、開いた蓋体が邪魔にならないようにすることができる。また、ストッパ部の高さ付近では、カバー体の左右一方側のヒケを雌ねじ溝によって軽減することができ、冗長溝によってカバー体の左右他方側のヒケを軽減することができる。
【００１５】
また、前記冗長溝が、前記雌ねじ溝を形成するのと同じ回転コアによって形成されるとよい。これによれば、冗長溝を簡単に形成することができる。
【発明の効果】
【００１６】
以上に述べたように、この発明は、上記構成の採用により、カバー体の側周外面に生じるヒケを軽減することができる。
【図面の簡単な説明】
【００１７】
【図１】（ａ）はこの発明の実施形態に係る飲料容器のカバー体を左右幅中央で切断して右側を取り除いた縦断面図、（ｂ）は前記（ａ）のストッパ部付近の拡大図、（ｃ）は前記カバー体を正背幅中央で切断して後ろ側を取り除いた部分縦断面図
【図２】実施形態に係る飲料容器の上部を左右幅中央で切断して右側を取り除いた縦断面図
【図３】実施形態に係る飲料容器の上部外観の左側面図
【図４】（ａ）は実施形態に係るカバー体の一部を切り欠いて前方右斜め上方から見た外観を示す斜視図、（ｂ）は実施形態に係るカバー体を上下逆様にして後方左斜め上方から見た外観を示す斜視図
【図５】（ａ）は冗長溝及びストッパ部の第１変更例を示す概念図、（ｂ）は同第２変更例を示す概念図、（ｃ）は同第３変更例を示す概念図、（ｄ）は同第４変更例を示す概念図、（ｅ）は同第５変更例を示す概念図、（ｆ）は同第６変更例を示す概念図、（ｇ）は同第７変更例を示す概念図、（ｈ）は同第８変更例を示す概念図
【発明を実施するための形態】
【００１８】
以下、この発明の実施形態に係る飲料容器を添付図面に基いて説明する。この飲料容器は、図２に示すように、容器本体１と、蓋セット２とを備える。容器本体１は、外底面で水平面上に立たせることができる。容器本体１は、飲料収容室３と、上面に開放された容器口４とを有し、ユーザの使用に際して一体に取り扱われる。蓋セット２は、容器口４を水密に密封するユニットからなる。蓋セット２は、容器本体１に着脱される。この着脱構造は、ねじ構造からなる。このねじ構造は、容器本体１の外周に位置する雄ねじ山５と、蓋セット２の内周に位置する雌ねじ溝６とからなる。ここで、周方向の概念は、雄ねじ山５と雌ねじ溝６の軸線周りの方向のことをいう。その軸線は、上下方向に設定されている（以下、これを「軸線」と呼ぶ）。また、軸線を図中に一点鎖線で示す。
【００１９】
飲料収容室３は、規定容量の飲料を貯留する。容器口４は、上向きに開放されている。容器口４は、蓋セット２を容器本体１から外した状態で飲料収容室３と外部とに連通するものとされている。飲料収容室３は、ステンレス鋼製魔法瓶７の内びんからなる。容器口４は、魔法瓶７と、肩カバー体８と、魔法瓶７と肩カバー体８間に介在するシール９とからなる。肩カバー体８は、合成樹脂で一体に形成されている。
【００２０】
肩カバー体８は、雄ねじ山５を有する。肩カバー体８は、魔法瓶７の外びんに強制嵌合することによって一体化されている。容器本体１は、図示例のように複数の部材から構成する必要はなく、魔法瓶単体で構成することも可能である。
【００２１】
蓋セット２は、カバー体１０と、蓋体１１と、飲み口体１２とを有する。カバー体１０は、合成樹脂で一体に形成されている。カバー体１０の全体は、成型により同時に形成されている。
【００２２】
蓋体１１は、ヒンジ軸１３を介してカバー体１０に取り付けられている。蓋体１１は、ヒンジ軸１３を中心に開閉回転させられる。
【００２３】
蓋体１１を閉位置に規制するロック操作機構の各部材は、カバー体１０に取り付けられている。カバー体１０は、ヒンジ軸１３を支持する滑り軸受部を有する。飲み口体１２は、容器本体１の飲料収容室３に連通する。
【００２４】
カバー体１０は、図３に示すように、側周壁１４と、天壁１５とを有する。側周壁１４は、容器本体１を水平方向から取り囲む形状となされている。天壁１５は、側周壁１４の上端部から容器口４の上方を覆う形状となされている。カバー体１０の側周外面は、側周壁１４の外面と、天壁１５の下部外面とからなる。
【００２５】
天壁１５は、飲み口体１２の外周を支持する受け口１６を有する。飲み口体１２の外周にパッキン１７が嵌着されている。受け口１６は、パッキン１７に対して締め代をもった内周部１８を有する。飲み口体１２は、内周部１８とパッキン１７の密着性によってカバー体１０に装着される。
【００２６】
飲み口体１２は、内周部１８から高く突き出る飲み口部１９を有する。飲み口体１２は、飲み口部１９に出口をもち、容器口４内に入口をもった管路２０を有する。蓋体１１には、管路２０を水密に密封するパッキン２１が装着されている。
【００２７】
飲み口体１２は、管路２０から水平方向に突き出た鍔部２２を有する。鍔部２２は、容器口４内に位置する外周部分にパッキン取付部２３を有する。パッキン取付部２３にパッキン２４が嵌着されている。パッキン２４は、容器口４の内周と飲み口体１２との間を水密に密封する。
【００２８】
受け口１６は、内周部１８よりも下側に位置し、かつ内周部１８よりも内接円径の大きな突出壁２５を有する。ここで、径方向の概念は、軸線に直交する直線方向のことをいう（以下、同じ）。突出壁２５は、鍔部２２の上端を上から下向きに支持する。内周部１８及び突出壁２５は、管路２０及び鍔部２２を水平方向に支持する。
【００２９】
側周壁１４は、図１（ａ）〜（ｃ）に示すように、雌ねじ溝６と、ストッパ部２６とを有する。雌ねじ溝６は、雄ねじ山５の螺進を許す谷の空間を形成する表面２７、２８からなる。ストッパ部２６は、雌ねじ溝６にねじ込まれていく雄ねじ山５を係止する。この係止は、雄ねじ山５のつる巻き線方向の端部２９をストッパ部２６で受け止めることによって実現されている。ここで、「つる巻き線」とは、雄ねじ山５、雌ねじ溝６の圧力側フランクに沿って移動する一点が描く、軸方向移動と軸線の周りの回転角との比が一定の軌跡のことをいう。また、軸方向の概念は、軸線に沿った方向のことをいう。ストッパ部２６は、雌ねじ溝６のつる巻き線方向長さの終端となる。
【００３０】
カバー体１０の内周には、複数の冗長溝３０、３１が雌ねじ溝６の延長上に形成されている。ここで、雌ねじ溝６の延長上とは、雌ねじ溝６の終端における溝横断面形状を、仮想的に、つる巻き線方向へストッパ部２６以遠に延長した領域内を意味する。また、その延長方向は、雌ねじ溝６に対して雄ねじ山５をねじ締結力の増す方へ進める方向である。したがって、各冗長溝は、雌ねじ溝６の延長上において一連に凹みながら雌ねじ溝６のつる巻き線方向に延びている。
【００３１】
雌ねじ溝６は、全ての冗長溝３０、３１とつる巻き線方向に連通する。したがって、冗長溝３０、３１は、雌ねじ溝６よりも狭い幅で当該雌ねじ溝６に連なっている。ここで、幅の概念は、つる巻き線に直角な方向の溝幅のことをいう。冗長溝３０、３１の溝壁を作る肉部分３２は、始端部がストッパ部２６となされている。なお、肉部分３２は、第１の冗長溝３０と第２の冗長溝３１とを仕切る壁になっている。
【００３２】
各冗長溝３０、３１は、雌ねじ溝６からつる巻き線方向に一連の空間を形成する表面からなる。すなわち、当該表面のどの一点からであっても、雌ねじ溝６までつる巻き線方向に他のカバー体表面に当たることなく移動することができる。したがって、冗長溝３０、３１は、雌ねじ溝６を形成するのと同じ回転コアで形成することができる。
【００３３】
ストッパ部２６は、図１（ｃ）に示すように、カバー体１０の左右方向幅の中央上に位置する。カバー体１０の正背左右方向は、この飲料容器の正背左右方向に一致する。蓋体１１のヒンジ軸１３に沿った方向を左右方向とする。左右方向幅の中央は、ヒンジ軸１３周りの仮想回動中心線の長さ方向中央に直交する仮想平面上に設定される。ここで、回動中心線の長さは、ヒンジ軸１３の左側端部と、ヒンジ軸１３の右側端部間の直線距離である。左右方向に直角な正背方向は、カバー体１０のヒンジ軸１３側を背面側、その逆側を正面側とする。ストッパ部２６は、カバー体１０の正面側に位置する。つまり、ストッパ部２６が雄ねじ山５の端部２９を受け止めるまでねじ込まれた状態において、ストッパ部２６は、飲料容器の正面側、左右方向幅中央に位置し、ヒンジ軸１３は、図２に示すように、カバー体１０の背面側で左右方向に向いている。これら方向設定により、ユーザが飲料容器を傾けて飲み口部１９から飲料を摂取する際、開いた蓋体１１が邪魔にならないようにしている。
【００３４】
図１（ａ）〜（ｃ）に示すように、冗長溝３０は、ストッパ部２６上から９０°進んだ回転角度位置まで連なる。ここで、「回転角度」とは、軸線を中心とした０°〜３６０°の回転角度であって、ストッパ部上に０°位置を設定し、回転方向を冗長溝の延長方向とする角度位置のことをいう。冗長溝３１は、側周壁１４と天壁１５を繋ぐ隅部３３付近の強度を確保するため、高所側の溝壁を一定高さにしている。したがって、冗長溝３１の軸方向の溝幅は、ストッパ部２６上から回転角度の大きいところ程小さくなり、冗長溝３１の終端は、９０°未満の回転角度位置にある。冗長溝３０、３１は、雌ねじ溝６の延長上に位置する溝なので、雌ねじ溝６に似たヒケ軽減効果を奏する肉盗みとなる。なお、隅部３３は、雌ねじ溝６とカバー体１０の外面で上下方向に挟まれた肉部と、冗長溝３０、３１とカバー体１０の外面間で上下方向に挟まれた肉部とからなる。
【００３５】
図３、４に示すように、カバー体１０の外面のうち、側面上部には、側周壁１４の上端壁が面取りされるように、意匠面３４が形成されている。意匠面３４は、回転角度０°位置に近づくに連れて次第に高くなっている。この飲料容器の使用に際し、カバー体１０の正面側上部に位置する意匠面３４付近が特に目に触れ易い箇所となる。
【００３６】
ストッパ部２６は、概ね意匠面３４と同じ高さに形成されている。このため、意匠面３４の下方付近において、雌ねじ溝６によってヒケが軽減されるとともに、冗長溝３０、３１によってもヒケが軽減される。
【００３７】
天壁１５と側周壁１４の上部付近が把持された状態でねじ込み作業が行われるので、雌ねじ溝６をなるべく高所まで形成し、把持力やトルクを受ける際の剛性を高めることが好ましい。このため、冗長溝３０、３１は、軸線周りに１周していない。
【００３８】
図１、２に示すように、突出壁２５は、冗長溝３０、３１及び雌ねじ溝６と径方向に対向する。突出壁２５は、非円形の内外周をもつので、回転コアに載せる非可動プレート金型で形成される。冗長溝３０、３１及び雌ねじ溝６を回転コアで形成するため、突出壁２５と雌ねじ溝６、冗長溝３０、３１との間の径方向間隔を狭くし、突出壁２５と飲み口体１２の接触径を内周部１８よりも大きくした分、飲み口体１２を安定させることが容易である。特に、内周部１８がカバー体１０の正面側へ片寄せした配置となされ、突出壁２５の背面側で飲み口体１２の安定性を強化している。内周部１８から突き出る飲み口部１９は、カバー体１０の左右方向幅の中央上に位置し、かつ正面側へ片寄せした配置になっているので、飲み口部１９に唇を付け易い。
【００３９】
ストッパ部、冗長溝の形状は、上述のようなものに限定されず、カバー体の寸法、金型構造に応じて適宜に決定することができる。例えば、図５（ａ）〜（ｃ）に概念的に示すように、スライドコアで形成することができる場合、ストッパ部４１が雌ねじ溝６とつる巻き線方向に対面し、ストッパ部４１を作る壁４２が冗長溝４３とつる巻き線方向に対面する端面４４とを有する形状にすることができる。また、図５（ｄ）に概念的に示すように、上下方向の寸法に余裕がある場合、最も高所を通る冗長溝５１と低所側の冗長溝５２とが終端までつる巻き線方向に平行する形状にすることができる。また、図５（ｅ）、（ｆ）に概念的に示すように、冗長溝６１を１本だけにすることができる。なお、雌ねじ溝６に連通する冗長溝の本数は、１本又は複数本にしてもよいが、２本以内に限定することが好ましい。雌ねじ溝の溝幅内で３本以上にすると、ストッパ部の機械的強度を得るのに十分な肉量を確保することが困難になるためである。また、図５（ｇ）に概念的に示すように、雌ねじ溝６と冗長溝７１の境に位置するストッパ部７２は、冗長溝７１の溝幅を雌ねじ溝６からテーパ状に狭めることにより、肉部７３、７３で構成することもできる。雌ねじ溝６の図中下側の空間を作ると、圧力側フランクから溝幅を拡大することになるので、回転コアで形成することが困難になる。これを避けるため、図５（ｈ）に示すように、雌ねじ溝６の圧力側フランク（図中下側の溝壁）は、ストッパ部７２まで連続していることが好ましい。なお、雌ねじ溝６の図中上側の空間は、雄ねじ山５との間に設定された遊び内としてアンダーカットにならないようにしている。
【００４０】
上述のように、図１、２に示すこの飲料容器は、容器本体１にカバー体１０を装着して飲料容器に組み立てる際、ストッパ部２６が雄ねじ山５の先端部２９を受け止めることにより、過剰なねじ締結を防止することができる。また、この飲料容器は、雌ねじ溝６で対応できない意匠面３４の左右他方側の下方付近で冗長溝３０、３１によってヒケが軽減される分、従来よりもカバー体１０の側周外面に生じるヒケを軽減することができる。
【００４１】
ストッパ部２６がカバー体１０の左右方向幅の中央上に位置するため、ストッパ部２６が雄ねじ山５の先端部２９を受け止めた時点で、カバー体１０は使用に際し正規の正背方向に向く。この飲料容器は、ストッパ部２６の高さ付近たる意匠面３４の下方近傍において、カバー体１０の側周が左右一方側のヒケを雌ねじ溝６によって軽減することができ、ストッパ部２６から９０°進んだ回転角度位置まで連なる冗長溝３０、３１によって、カバー体１０の少なくとも正面側かつ左右他方側のヒケを軽減することができる。ひいては、飲料容器としての正面からの意匠性がカバー体１０のヒケにより害されることを防止することができる。なお、冗長溝３０、３１を１周以上の長さにする場合でも、冗長溝３０の終端を９０°角度位置に設定しておけば、冗長溝３０により左右両側でのヒケ発生を防止することができる。
【００４２】
また、この飲料容器は、冗長溝３０、３１が雌ねじ溝６を形成するのと同じ回転コアによって形成されるので、冗長溝３０、３１を簡単に形成することができる。
【００４３】
また、この飲料容器は、冗長溝３０、３１が雌ねじ溝６よりも狭い幅で雌ねじ溝６に連なっているので、ストッパ部２６を簡単に構成することができる。
【００４４】
また、図５（ｅ）、（ｆ）のようにストッパ部６２が１本の冗長溝６１を作る肉部６３によって構成される場合と比して、図１（ｂ）や図５（ｄ）のように、冗長溝３０、３１、５１、５２が複数形成されている飲料容器は、雌ねじ溝６の延長上で、肉部３２、６３が雌ねじ溝６の幅方向に偏ることを抑え、ヒケを生じ難くすることができる。なお、冗長溝をカバー体の正面側に形成する場合について説明したが、任意の側に形成してもよい。
【００４５】
この発明の技術的範囲は、上述の実施形態に限定されず、特許請求の範囲の記載に基く技術的思想の範囲内での全ての変更を含むものである。
【符号の説明】
【００４６】
１  容器本体
２  蓋セット
５  雄ねじ山
６  雌ねじ溝
１０  カバー体
１２  飲み口体
１６  受け口
２５  突出壁
２６、４１、６２、７２  ストッパ部
２９  先端部
３０、３１、４３、５１、５２、６１、７１  冗長溝
【図１】
2015084905.tif 000003
【図２】
2015084905.tif 000004
【図３】
2015084905.tif 000005
【図４】
2015084905.tif 000006
【図５】
2015084905.tif 000007